(57)【要約】  少なくとも１つの光電式送信機及び／または少なくとも１つの光電式受信機を上面に備えるキャリア装置を有し、キャリア装置の上方に層状に配置された少なくとも１つの第１の光学素子、第２の光学素子及び第３の光学素子を有し、第２の光学素子は第１の光学素子の上に配置され、第３の光学素子は第２の光学素子の上に配置され、少なくとも３つの光学素子は、それぞれレンズ要素、開口要素またはフィルタ要素であり、少なくとも第１の光学素子と第２の光学素子をキャリア装置に対して保持するとともに、第１の光学素子と第２の光学素子を部分的に囲む保持装置を有し、該保持装置は、キャリア装置に対して第３の光学素子を保持するとともに第３の光学素子を部分的に囲むか、第３の光学素子を形成している光電式装置が提供される。
2019507356.tif 000002
【特許請求の範囲】
【請求項１】
少なくとも１つの光電式送信機（４０）及び少なくとも１つの光電式受信機（４２）を上面に備えるキャリア装置（１２）を有し、
キャリア装置（１２）の上方に層状に配置された少なくとも１つの第１の光学素子、第２の光学素子及び第３の光学素子を有し、第２の光学素子は第１の光学素子の上に配置され、第３の光学素子は第２の光学素子の上に配置され、前記少なくとも３つの光学素子は、それぞれレンズ要素（１６）、開口要素（１４）またはフィルタ要素（９２）であり、
少なくとも第１の光学素子と第２の光学素子をキャリア装置（１２）に対して保持するとともに、少なくとも第１の光学素子と第２の光学素子を部分的に囲む保持装置を有し、該保持装置は、さらに、キャリア装置（１２）に対して第３の光学素子を保持するとともに第３の光学素子を部分的に囲むか、第３の光学素子を形成していることを特徴とする光電式装置（１０）。
【請求項２】
前記少なくとも３つの光学素子の１つまたは複数が、前記少なくとも１つの光電式送信機（４０）及び／または少なくとも１つの光電式受信機用の光チャネル（８４）を合わせて形成することを特徴とする請求項１に記載の光電式装置（１０）。
【請求項３】
対応するレンズ要素（１６）は、前記少なくとも１つの光電式送信機用のレンズ部（６８）及び／または前記少なくとも１つの光電式受信機（４２）用のレンズ部を有することを特徴とする請求項１または２に記載の光電式装置（１０）。
【請求項４】
対応する開口要素（１４，２０）は、前記少なくとも１つの光電式受信機（４２）に入射する光ビームの入射角の範囲を定めるとともに／または前記少なくとも１つの光電式送信機（４０）から放射される光ビームの放射角の範囲を定めることを特徴とする請求項１〜３のいずれかに記載の光電式装置（１０）。
【請求項５】
対応する開口要素（１４，２０）は、前記少なくとも１つの光電式送信機（４０）用の開口部及び／または前記少なくとも１つの光電式受信機（４２）用の開口部を有することを特徴とする請求項１〜４のいずれかに記載の光電式装置（１０）。
【請求項６】
対応する開口部（５２）は、キャリア装置（１２）の方向に徐々に減少する断面を有するとともに／または少なくとも実質的に円錐台状の開口部によって形成されていることを特徴とする請求項５に記載の光電式装置（１０）。
【請求項７】
対応するフィルタ要素（９２）は、スペクトルフィルタ特性を有するプラノパラレルなフィルタ部を備えることを特徴とする請求項１〜６のいずれかに記載の光電式装置（１０）。
【請求項８】
第１の光学素子は、第１の開口要素（１４）であり、第２の光学素子は、レンズ要素（１６）であり、第３の光学素子は、他の開口要素（２０）であることを特徴とする請求項１〜７のいずれかに記載の光電式装置（１０）。
【請求項９】
第１の光学素子は、レンズ要素（１６）であり、第２の光学素子は、開口要素（１４）であり、第３の光学素子は、他のレンズ要素（１６）であることを特徴とする請求項１〜７のいずれかに記載の光電式装置（１０）。
【請求項１０】
前記少なくとも３つの光学素子の１つは、レンズ要素（１６）であり、前記少なくとも３つの光学素子の他の１つは、開口要素（１４）であり、前記少なくとも３つの光学素子のさらに他の１つは、フィルタ要素（９２）であることを特徴とする請求項１〜７のいずれかに記載の光電式装置（１０）。
【請求項１１】
第１の光学素子（１４）及び／または第２の光学素子（１６）は、垂直方向で第３の光学素子（２０）とキャリア装置（１２）の間に捕捉されていることを特徴とする請求項１〜１０のいずれかに記載の光電式装置（１０）。
【請求項１２】
前記少なくとも３つの光学素子の少なくとも１つは、前記少なくとも３つの光学素子の他の１つを受け入れる少なくとも１つの収容リセス（９０）を有することを特徴とする請求項１〜１１のいずれかに記載の光電式装置（１０）。
【請求項１３】
保持装置は、２つの部材で形成されており、下部材（１８）と上部材（２０）を含むことを特徴とする請求項１〜１２のいずれかに記載の光電式装置（１０）。
【請求項１４】
少なくともキャリア装置（１２）、第１の光学素子（１６）及び第２の光学素子（１４）は、保持装置の下部材（１８）と上部材（２０）の間に捕捉されていることを特徴とする請求項１３に記載の光電式装置（１０）。
【請求項１５】
保持装置の下部材（１８）と上部材（２０）は、ラッチ式連結部によって互いに締結されていることを特徴とする請求項１３または１４に記載の光電式装置（１０）。
【請求項１６】
第３の光学素子は、保持装置の上部材（２０）によって形成されていることを特徴とする請求項１３〜１５のいずれかに記載の光電式装置（１０）。
【請求項１７】
保持装置は、一部材として形成されているとともに開口した上面を有し、第３の光学素子（２０）は、保持装置の上面に設けられていることを特徴とする請求項１〜１２のいずれかに記載の光電式装置（１０）。
【請求項１８】
第３の光学素子は、ラッチ式連結部によって保持装置に締結されていることを特徴とする請求項１７に記載の光電式装置（１０）。
【請求項１９】
少なくとも３つの光学素子の１つは、保持装置から突出するとともに光電式装置（１０）を識別する少なくとも１つのコーディング要素（６２，６３）を有する機械的なコーディング部（６０）を備えることを特徴とする請求項１〜１８のいずれかに記載の光電式装置（１０）。
【請求項２０】
請求項１〜１９のいずれかに記載の複数の異なる光電式装置（１０）を含むシステムであって、
前記複数の異なる光電式装置（１０）の第１の光学素子は、形状が互いに異なっているとともに／または前記複数の異なる光電式装置（１０）の第２の光学素子は、形状が互いに異なっているとともに／または前記複数の異なる光電式装置（１０）の第３の光学素子は、形状が互いに異なっていることを特徴とするシステム。
【請求項２１】
請求項１〜１９のいずれかに記載の複数の光電式装置（１０）を有するシステムであって、
前記複数の異なる光電式装置（１０）の少なくともいくつかの光学素子は、対応する配置に関して互いに異なっていることを特徴とするシステム。
【発明の詳細な説明】
【技術分野】
【０００１】
本発明は、少なくとも１つの光電式送信機及び／または少なくとも１つの光電式受信機を上面に有するキャリア装置を備える光電式装置に関する。
【背景技術】
【０００２】
キャリア装置は、同時に光電式送信機及び／または光電式受信機の電気接点として機能し得る。送信機及び／または受信機に関連する放射に光学的な影響を及ぼすように、少なくとも１つの光学素子が、垂直方向に対してキャリア装置の上方、すなわち送信機及び受信機の上方に配置されている。
【０００３】
このような光電式装置は、特に、物体を光学式に走査して物体の特性を電子的に検出する光電センサ装置として構成される。このようなセンサ装置の用途は、市販のプリンタ装置、レーザプリント技術やインクジェットプリント技術などの周知のプリント技術によるコンピュータ支援の紙印刷装置の分野である。全自動でかつできる限りユーザフレンドリーなプリンタ（またはプリンタを含む多機能装置）の動作を可能とするように、プリンタの収容トレイに配置される紙の量や種類、与えられた紙の判型、紙の端部の相対的位置などのプリンタの異なる動作パラメーターが必要に応じて特定及び監視される。さらに、例えば、走査される紙の内容（画像かテキストか）やプリント結果に対する正しい配置（例えば、プリンタのプリントユニットの機械的なアライメント）を確認するために、対応するプリント結果や走査する紙の自動分析が必要である。
【０００４】
典型的に、測定される各動作パラメータに対して個々に適合する光電式装置がそれぞれ設けられ、発せられた光信号と、検出された、例えば反射した光信号と、を比較して、これらの光信号の差から対応する動作パラメータを特定することができるように構成される。光信号は、一般に可視波長または不可視波長、特に赤外線の電磁放射である。装置は、光電式送信機と（少なくとも１つの）光電式受信機との両方を有することが多い。よって、装置は、例えば、近接センサとして機能し得る。さらに、例えば、特に同時に複数の動作パラメータを（例えば、拡散反射と正反射との区別によって）特定可能な複数の送信機及び受信機を有する装置も可能である。
【０００５】
多くの動作パラメータを測定するために対応する種々の光電式装置が必要となり、望ましくない製造及び保管コストを伴う。加えて、対応する動作パラメータを測定する光電式装置は、対応する動作パラメータによって大きく異なり得る特定の光学的性質を実現する必要があり、この点に関して多大な開発努力を要し得る。光学的性質は、特に、それぞれの動作パラメータを測定するために光電式送信機から送信されるとともに／または光電式受信機によって受信されるビームや光信号の案内、成形やフィルタリングである。この点に関して、特にビームの断面の大きさ及び／または角度範囲を決定するように、ビームの幾何学的な制限も必要であり得る。
【発明の概要】
【発明が解決しようとする課題】
【０００６】
本発明の目的は、光学的性質を簡単に決定できる上述した装置を提供することである。
【課題を解決するための手段】
【０００７】
上記の目的は、請求項１の特徴部を有する光電式装置、特に、キャリア装置の上方で層状に配置された少なくとも１つの第１の光学素子、第２の光学素子及び第３の光学素子を有し、第２の光学素子が第１の光学素子の上方に配置され、第３の光学素子が第２の光学素子の上方に配置され、少なくとも３つの光学素子のそれぞれが、レンズ要素、開口要素またはフィルタ要素である光電式装置によって達成される。少なくとも第１の光学素子と第２の光学素子をキャリア装置に対して保持するとともに第１の光学素子と第２の光学素子を部分的に囲む保持装置がさらに提供され、この保持装置は、さらに、第３の光学素子をキャリア装置に対して保持するとともに第３の光学素子を部分的に囲むか、第３の光学素子を形成する。
【０００８】
光電式送信機または受信機に関する装置の関連する光学的性質は、上記の少なくとも３つの光学素子によって決定される。この点に関して、３つの光学素子の１つまたは複数は、送信機または受信機用の光チャネルを合わせて構成することができる。従って、このような光チャネルは、光電式装置の入射光路または放射路を形成し、光チャネルは、好ましくは光電式送信機または受信機を通り、光電式装置を部分的に通る光電式装置の放射透過領域の幾何学的及び／または光学的中心を定める仮想軸を有する。光チャネルの軸は、キャリア装置の延長面に対して、例えば、垂直または斜めに延び得る。光電装置に設けられたそれぞれの光電式送信機および受信機に対して、別の関連する光チャネルが提供されることが好ましい。
【０００９】
本発明の利点は、少なくとも３つの独立した光学素子が提供されることである。これにより、光チャネルの光学的性質を簡単な方法でかつそれにもかかわらず高い精度で決定することができる。
【００１０】
光電式装置は、異なる独立した構成要素からモジュール式装置として組み立てられるモジュール式設計を特徴とする。これらの独立した構成要素は、少なくともキャリア装置、第１の光学素子、第２の光学素子及び保持装置を含み、第３の光学素子も同様に保持装置とは別にあるいは保持装置と一体に形成することができる。個々の構成要素は、好ましくは互いに対して取外し可能に連結あるいは保持されている。構成要素は、特に互いに対して力を伝達する及び／または形状が一致する方法で保持することができる。構成要素は、上記垂直方向に沿って互いの実質的に後方に、すなわち層状配置またはサンドイッチ構造で配置される。キャリア装置、光学素子及び任意の構成要素の異なる変形例は、これにより、ユニバーサルモジュール式プラットフォームに基づいて、単純な方法で互いに組み合わせることができ、異なる光電式装置のいくつかの構成要素（例えば、保持装置）は同じであってもよい。
【００１１】
光電式装置は、少なくとも実質的に平行六面体とすることができ、少なくともいくつかの上述の個別の構成要素は細長い実質的に矩形の外形を有しうる。
【００１２】
光電式装置のキャリア装置は、少なくとも実質的にプレート状とすることができるとともに／またはオーバーモールドされたリードフレームであり得る。キャリア装置は、キャリア装置のＡＳＩＣ（特定用途向け集積回路）及び／または光電式送信機または受信機に接続可能な複数の電気コネクタを含み得る。キャリア装置のコネクタは、外部からの電気接続を可能とする。コネクタは、装置を用途に応じて動作させるために、特にキャリア装置を光電式装置と関連するマイクロコントローラに接続するために設けることができる。上述の垂直方向は、キャリア装置の延長面に特に垂直に延び得る。
【００１３】
保持装置は、キャリア装置に対する第１及び第２の光学素子のアライメントに注意しながら少なくともキャリア装置と２つの光学素子を互いに対して保持するように機能し、キャリア装置は、少なくとも１つの光電式送信機及び受信機を備える。この点で、保持装置は、第１の光学素子及び／または第２の光学素子をキャリア装置に直接的または間接的に固定することができる。保持装置は、この目的で、キャリア装置及び第１及び第２の光学素子の少なくとも周りに係合するか、あるいはこれらの後方に係合する、例えば、クリップまたは少なくともクリップ様の要素を有し得る。加えて、または代わりに、保持装置は、ハウジングまたはケージとして形成可能であり、このような保持装置は、キャリア装置、第１の光学素子及び第２の光学素子を完全に囲む必要はなく、特に面全体を囲む必要はなく、装置の全ての側面を囲む必要もない。よって、保持装置は、少なくとも機能的に装置のハウジングとして機能し、または少なくとも大部分が閉じた本当のハウジングとすることができ、少なくとも装置の構成要素の機械的な封入が確実に得られる。（第３の光学素子が別に形成され、例えば、保持装置と一体に設けられていない場合）第３の光学素子及び他の構成要素も、保持装置によって保持または固定することができる。
【００１４】
保持装置は、複数の側壁及び／または互いの反対側に対をなすように設けられた、複数の、特に２つ、４つ、６つの保持アームまたは保持部を備えるベースプレートを特に有し得る。ベースプレートは、例えば、キャリア装置及び／または１つの光学素子の形状及び寸法に適合する均一のプレート寸法を有し得る。これにより、装置は、頑丈でコンパクトなものとなり、装置への汚れ等の付着や侵入が防がれる。ベースプレートは、好ましくはキャリア装置の下面に配置され、底部を構成する。保持装置は、少なくとも部分的にステップ状及び／またはＵ字形の断面及び／または複数の開口部を有することができ、保持装置内に配置され、保持装置と少なくとも部分的に相補的に形成される装置の構成要素が、独立した締結手段を要することなく保持装置内に横方向及び／または垂直方向で捕捉される。例えば、キャリア装置、第１の光学素子、第２の光学素子及び任意の第３の光学素子は、垂直方向で捕捉することができ、すなわち、それぞれの構成要素は、垂直方向における相互の接触によって保持装置と装置の他の構成要素との間または装置の別の２つの構成要素の間に固定される。保持装置は、さらに、一部材または複数の部材、特に２つの部材で形成可能である。
【００１５】
光学素子は、少なくとも実質的にプレート状であってもよく、プレート寸法及び／またはプレート形状は、装置の少なくともいくつかの構成要素の均一のプレート寸法及び／またはプレート形状に対応し得る。
【００１６】
本発明に関連して、レンズ要素は、特に屈折特性を有し得る結像要素である。レンズ要素は、特に、少なくとも１つの光電式送信機用のレンズ部及び／または少なくとも１つの光電式受信機用のレンズ部を有し得る。
【００１７】
対応するレンズ部は、（例えば、収束レンズ、発散レンズまたはフレネルレンズのように）特に一方の面または両面にアーチを有する点でビーム成形特性を有し得る。これに変えて、またはこれに加えて、対応するレンズ部は、ビームの屈折、すなわち発信または受信されたビームの伝搬方向の変更を生じさせ得る。対応するレンズ部は、特にウェッジ形状（例えば、互いに対して鋭角に並んだ２つの平面を有するウェッジレンズとしての設計）を有し得る。対応するレンズ部は、キャリア装置の延長面に対して平行にまたは斜めに位置決めすることができる。レンズ要素は、対応するレンズ部の外側でプレート状とすることができる。対応するレンズ部は、一体でかつ／または光電式送信機または受信機の上方に設けることができる。
【００１８】
１つの光学素子が開口要素である場合には、少なくとも１つの光電式受信機に入射する光ビームの入射角の範囲を定め得る。代わりにまたはこれに加えて、開口要素は、少なくとも１つの光電式送信機によって光チャネルを通して放射される光ビームの放射角の範囲を定める。それぞれの角度範囲は、特にアライメント及び開口部の角度によって定めることができ、光チャネルはこれによって少なくとも部分的に定められる。
【００１９】
開口要素は、少なくとも１つの光電式送信機用の開口部及び／または少なくとも１つの光電式受信機用の開口部を有し得る。対応する開口部は、対応する開口要素の開口部によって形成することができ、この開口部は、例えば、円形または楕円形であり、形成される光チャネルの軸と同軸あるいはこの軸からオフセットされる。光電式装置の幾何学的な光電特性は、決定することができ、対応する開口部の配置及び形状によって（例えば、内部及び外部の反射による）望ましくない干渉の影響が抑えられる。このために対応する開口要素を備える複数の独立した開口要素を有利に提供することができ、各々の開口要素は関連する送信機から放射されるとともに／または関連する受信機で受信されるビームの断面を制限することができる。例えば、対応する開口要素を形成する２つの光学素子は、キャリア装置から異なる間隔に設けることができ、特にレンズ要素の異なる側に設けることができる。よって、各々の開口要素は、光チャネルの所望の光学的性質に貢献することができ、各々の開口要素によって実現される光学的性質は重ね合わされるか、または機能的な方法で組み合わされる（例えば、入射角の範囲や放射角の範囲を制限して、散乱光絞りとして機能する）。換言すると、光電式装置の設計された光学的性質を実現するためのビームを幾何学的に制限する手段は、２つ以上の開口要素に分散可能である。これにより、単一の開口要素の場合に比べて、対応する開口要素の機械的な複雑さを小さくすることができ、これは、一方では設計を単純化し、他方では開口要素の産業的な製造を単純化する。
【００２０】
入射角及び／または放射角の上記範囲を定めるために、対応する開口要素の開口部は、キャリア装置の方向に徐々に減少する断面を有し得る。対応する開口部は、少なくとも実質的に円錐台状の開口部によって特に形成可能であり、この開口部は、特に傾斜した光チャネルの軸を有し、変形していてもよい。
【００２１】
光電式装置の少なくとも１つの光学素子は、スペクトルフィルタ特性を有するフィルタ要素を含む。フィルタ要素は、スペクトルフィルタ特性を有する特にプラノパラレルなフィルタ部を備え得る。
【００２２】
対応する光学素子は、レンズ要素、開口要素またはフィルタ要素のいずれかのみを含まなくてもよい。レンズ要素、開口要素、フィルタ要素の組み合わせも可能である。例えば、スペクトルフィルタ特性が組み込まれたレンズ要素を提供することができる。しかし、このことは、上記の機能（屈折、開口、フィルタリング）の少なくとも１つをそれぞれ満たす少なくとも３つの光学素子が必ず提供される事実に影響を与えない。
【００２３】
装置のモジュール式設計は、僅かしか異ならない実質的に同一の構成要素を有する複数の異なる種類の装置を安価に製造するために、少なくとも３つの光学素子との組合わせにおいて特に有利である。この点について、対応する種類の装置で要求される光学的性質は、例えば、光学素子の１つの開口要素の少なくとも１つの開口部の形状及び／または位置、レンズ要素のレンズ部の形状及び／または位置及び／またはフィルタ要素のフィルタ部の形状または位置が適合することによって定められ得る。この目的で、異なる選択的な開口要素及び／または異なる選択的なレンズ要素及び／または異なる選択的なフィルタ要素を提供することができる。光電式装置の基本設計、特に個々の構成要素の外形は、この点に関して変更する必要はない。
【００２４】
以下に３つの光学素子の層状配置に関するいくつかの例示的な形態を説明する。
【００２５】
一実施例によれば、第１の光学素子は、第１の開口要素であり、第２の光学素子は、レンズ要素であり、第３の光学素子は他の開口要素である。換言すると、第１の開口要素は、レンズ要素の下に配置され、他の（第２の）開口要素はレンズ要素の上方に配置される。一方では、これにより、第１の開口要素は、第２の開口要素よりもキャリア装置からの離間距離が短い。他方では、２つの開口要素は、レンズ要素によって互いから離間されている。開口要素のこのような配置は、各々の開口要素によって特定の光学的な効果を実現するのに有利である。例えば、第１の(下方の)開口要素は、光チャネルの角度特性（キャリア装置の平面及び開口部の角度に対する光チャネルの光軸の傾斜）を共に決定するように設けることができるとともに／または光電式装置における散乱光を減少させるように設けることができる。光電式装置における散乱光は、例えば、キャリア装置で反射した光で光チャネルを通って装置の測定環境に移動すべきでない光である。対照的に、第２の（上方の）開口要素は、測定環境から装置内へ入る散乱光を減少または防止するように設けることができる。これにより、特に効果的でかつそれにもかかわらず単純に実現可能な方法でビームを二段階で光学的に制限することができる。上述した開口要素の目的は、単に例示的なものである。
【００２６】
本発明の他の実施例では、第１の光学素子はレンズ要素であり、第２の光学素子は開口要素であり、第３の光学素子は他のレンズ要素である。特に、２つの光学素子にわたって所望の屈折特性を分散させることができる。
【００２７】
上述の形態のさらに他の形態として、３つの光学素子の１つは、レンズ要素とすることができ、３つの光学素子の他の１つは、開口要素とすることができ、３つの光学素子のさらに他の１つは、フィルタ要素とすることができる。この点について、レンズ要素は、例えば、（３つの光学素子の最も上方の）第３の光学素子によって形成可能である。
【００２８】
上述の形態以外の他の形態の光学素子も提供することができる。３つ以上の光学素子を特に使用することもできる。層状の配置は、好ましくは少なくとも１つの開口要素と１つのレンズ要素を含む。
【００２９】
さらに他の実施例では、第１の光学素子と第２の光学素子は、第３の光学素子とキャリア装置との間に垂直方向で捕捉され、すなわち第１及び第２の光学素子は、これらの光学素子の個々の固定が不要で、かつ装置の構成要素を異なる第１及び第２の光学素子と容易に組み合わせることができるように、少なくとも垂直方向で装置に間接的に固定される。第１及び／または第２の光学素子や他の構成要素、特に第３の光学素子は、この目的で少なくとも部分的に（例えば、対応する周辺部において）保持要素と相補的に設けることができる。
【００３０】
さらに他の実施例では、少なくとも３つの光学素子の少なくとも１つは、少なくとも３つの光学素子の他の１つを（部分的または完全に）収容する少なくとも１つの収容リセスを有する。第１及び／または第３の光学素子は、好ましくは第２の光学素子の収容リセスに部分的及び／または形状が一致する方法で収容することができる。これにより、光電式装置は、特にコンパクトに構成することができ、収容リセスに収容される第１及び／または第３の光学素子は、好ましくは第２の光学素子の外側面と整列した位置で終端となる。第１及び／または第３の光学素子の位置は、収容リセスによって第２の光学素子に対して特に信頼性の高い方法で（横方向及び／または垂直方向で）固定されてもよく、対応する光学素子の光学部（レンズ部、開口部、フィルタ部）は、対応する光学素子が収容リセスに収容されたときに光チャネルを形成するように互いに対して正確に整列する。
【００３１】
さらに他の実施例では、保持装置は２つの部材によって形成され、下部材と上部材を備える。下部材と上部材は、この点で特に互いに取外し可能に固定され、下部材及び／または上部材は、第１の光学素子、第２の光学素子、キャリア装置、そして、任意に（別に形成されている場合に）第３の光学素子及び装置の他の任意の構成要素の周囲または後方に係合可能となっている。保持装置の下部材は、底部及びここから上向きに突出する複数の連結部を有し得る。保持装置の上部材は、さらに、頂部と、ここから下向きに突出して下部材の連結部と協同する複数の連結部と、を有することができる。下部材及び／または上部材は、少なくともキャリア装置とレンズ要素のための収容空間を形成する実質的にＵ字形の断面を有することができ、収容空間は装置の製造を容易にする。
【００３２】
キャリア装置、第１の光学素子、第２の光学素子とともに任意に（別に形成されている場合に）第３の光学素子は、保持装置の下部材と上部材の間に配置することができ、特に保持装置の下部材と上部材の間で垂直方向に捕捉可能である。よって、光電式装置は、少なくともキャリア装置、第１の光学素子及び第２の光学素子を個々に固定する必要がないので、特に効率的に組み立てることができる。例えば、キャリア装置、第１の光学素子、第２の光学素子、そして（別個に形成されている場合に）任意に第３の光学素子は、下部材に配置することができ、下部材は続いて上部材によって閉じられ、これにより、キャリア装置の上方に配置された構成要素は、キャリア装置に自動的に固定される。
【００３３】
保持装置の下部材と上部材は、特にラッチ式連結部によって互いに固定することができる。
【００３４】
下部材に第３の光学素子が配置される代わりに、第３の光学素子は、保持装置の上部材によって形成することができる。第３の光学素子（例えば、開口要素）は、例えば、保持装置の上部材と一体に設けられ、光電式装置のコンパクトな構造的形状及び少ない数の構成要素に関して有利である。
【００３５】
さらに他の実施例では、保持装置は一部材として設けられており、開いた上部を有し、第３の光学素子は保持装置の上面に配置される。第３の光学素子は、（例えば、開口部は別として）開いた上面を閉じるように構成され得る。第３の光学素子は、特にラッチ式連結部によって保持装置に締結することができる。
【００３６】
さらに他の実施例では、少なくとも３つの光学素子の１つは、保持装置から突出するとともに光電式装置を識別する少なくとも１つのコーディング要素を有する機械的なコーディング部を有する。これにより、特に組立時に、異なる種類や形式の光電式装置を互いに識別することができる。これは、例えば、複数の異なる光電式装置を（プリンタ）装置に一緒に組み付ける必要があり、一様なモジュール性により装置の外観に類似して混同しやすい場合に有利である。しかし、コーディング部によって、異なる光電式装置間の混同のおそれは効果的に減少する。
【００３７】
本発明は、さらに、上述のいずれかの実施例による複数の異なる光電式装置を含むシステムに関し、複数の異なる光電式装置の第１の光学素子は形状が互いに異なっているとともに／または複数の異なる光電式装置の第２の光学素子は形状が互いに異なっているとともに／または複数の異なる光電式装置の第３の光学素子は形状が互いに異なっている。よって、異なる装置の光学的性質は、同様の要素のモジュール式設計にかかわらず単純な方法で適合させることができる。
【００３８】
本発明は、さらに、上述のいずれかの実施例による複数の異なる光電式装置を含むシステムに関し、上述のシステムの代わりにまたはこれに加えて、複数の異なる光電式装置の少なくともいくつかの光学素子が、対応する配置、特に上記垂直方向に沿った対応する順番に関して互いに異なっている。
【００３９】
例えば、対応する光電式装置の少なくとも２つの光電式要素は、対応する開口要素を有することができ、異なる光電式装置の少なくともいくつかの開口要素は、他の異なる光電式装置の開口要素とは対応する配置及び／または形状が異なる。
【００４０】
異なる光電式装置の少なくとも１つの構成要素は、上述のシステムの１つにおける、特に保持装置及び／またはキャリア装置内で（送信機、受信機及びＡＳＩＣ等の光電要素または電子要素は別として）好ましくは同一に形成される。
【００４１】
以下で、図面を参照して本発明を単に例示的に説明する。
【図面の簡単な説明】
【００４２】
【図１】光電式装置の実施例の分解図である。
【図２】図１の装置の部品の透視図である。
【図３】図１の装置の組立状態の透視図である。
【図４】図１の装置のレンズ要素の上面図である。
【図５】（ａ）設置された装置を含まない（ｂ）設置された装置を含む、図１の装置の設置位置を示す２つの透視図である。
【図６】（ａ）設置された装置を含まない（ｂ）組み立てられた装置を含む、図１の装置の他の設置位置を示す２つの透視図である。
【図７】光電式装置の概略的な長手方向断面図である。
【図８】別の光電式装置の概略的な長手方向断面図である。
【図９】別の光電式装置の概略的な長手方向断面図である。
【発明を実施するための形態】
【００４３】
図面における同じまたは類似する要素には、同じ参照符号が付されている。
【００４４】
光電式装置１０は、キャリア装置１２、第１の開口要素１４の形態の第１の光学素子、レンズ要素１６の形態の第２の光学素子及び下部材１８と上部材２０とを備える保持装置を有する。保持装置の上部材は、この実施例では、光電式装置１０の他の開口要素の形態の第３の光学素子を同時に形成する。図１では、これら全ての構成要素を斜め上方から示しており、すなわち視点が構成要素の上面に対して斜めに位置する。
【００４５】
以下で、光電式装置１０の個々の構成要素についてより詳しく述べながら、装置１０の組立方法を説明する。
【００４６】
最初に、キャリア装置１２を下部材１８内に配置する。挿入されたキャリア装置１２を含む下部材１８は図２に示されており、図２の縮尺は図１よりも大きくなっている。下部材１８は、複数の接続部が上向きに突出する底部２２を有する。詳細には、下部材１８の長手方向に対して鏡面対称の２つの側部２４’，２４”が、底部２２に対して実質的に垂直に配置された状態で、底部２２から離れるように上向きに延在する。底部２２は、さらに、端面留め具２６及び噛合部２８を有する。これにより、Ｕ字形に形成された下部材１８は、キャリア装置１２、開口要素１４（第１の光学素子）及びレンズ要素１６（第２の光学素子）を収容するように上向きに完全に開口し、かつ部分的に横方向に開口する収容空間３０を有する。収容空間３０の寸法及び形状は、キャリア装置１２、開口要素１４及びレンズ要素１６の寸法及び形状と断面が実質的に対応する。よって、構成要素１２，１４，１６は、下部材１８にぴったりと嵌るように配置可能である。
【００４７】
側部２４’，２４”は、それぞれ２つの矩形の開口部３２’，３２”を有するとともに、離間された２つのラッチノーズ部３４を外面に有する。側部２４’，２４”は、さらに、中央に配置されたラッチ式留め具３６を外側に有する。収容空間３０は、噛合部２８の領域において中央領域に対して幅が広がっている。
【００４８】
キャリア装置１２は、種々の装備を備え得るオーバーモールドされたリードフレーム（所謂“プレモールドリードフレーム”）として形成される。図２に示すように、キャリア装置１２を下部材１８内に配置することができるように、キャリア装置１２の周縁部は底部１８の収容空間３０と相補的であり、キャリア装置１２は、留め具２６、噛合部２８及び側部２４’，２４”の間で底部２２の平面内に横方向で捕捉される。キャリア装置１２の上部は、長手方向で複数のチャンバ３８に分割されており、一般に、光電式送信機または光電式受信機を各チャンバ３８内に取り付けて電気的に接続することができるようになっている。図１に示すキャリア装置１２は、光電式送信機４０、２つの光電式受信機４２及びＡＳＩＣ（特定用途向け集積回路  ａｐｐｌｉｃａｔｉｏｎ−ｓｐｅｃｉｆｉｃ  ｉｎｔｅｇｒａｔｅｄ  ｃｉｒｃｕｉｔ）４４を有する。キャリア装置１２を外部のマイクロコントローラ（図示省略）と接続するために、キャリア装置１２から離れるようにキャリア装置１２の幅が狭い側から一様の弓形に延在する複数の電気コネクタ４６が設けられている。キャリア装置１２が下部材１８に配置されると、コネクタ４６は下部材１８の噛合部２８と弾性的に係合し、プラグ接続式電気コネクタ（図示省略）を差込むための接触ゾーンが形成される（図２参照）。
【００４９】
キャリア装置１２が下部材１８に配置された後、開口要素１４（第１の光学素子）が下部材１８の収容空間３０内に配置される。この点に関して、開口要素１４の対応する横方向突出部４８が、側部２４’，２４”の対応する開口部３２’，３２”と係合する（図１，図２参照）。さらに、第１の開口要素１４の幅が広い領域５０が、噛合部２８の領域で幅が広くなった収容空間３０と係合する。これにより、第１の開口要素１４は、特に装置の長手方向に移動不能となり、この点で下部材１８に固定される。図１の第１の開口要素１４は、さらに３つの異なる形状の開口部５２ａ，５２ｂ，５２ｃを有し、これらの開口部は、第１の開口要素１４の長手方向で互いの後方に配置され、実質的に円錐台状に境界付けられた開口部によって形成される。
【００５０】
次に、レンズ要素１６（第２の光学素子）が下部材１８の収容空間３０内に配置され、対応する横方向の突出部５４’，５４”が側部２４’，２４”の対応する開口部３２’，３２”と係合する。さらに、レンズ要素１６の幅が広くなった領域５６が、噛合部２８の領域で幅が広くなった収容空間３０の領域と係合する。これにより、レンズ要素１６は、底部２２と平行な平面内で長手方向及び横方向で下部材１８に固定される。
【００５１】
最後に保持装置の上部材２０が、ラッチ式連結部によって下部材１８に締結され、この目的で上部材２０には、側部２４’，２４”のラッチノーズ部３４のうちの１つにそれぞれラッチされる４つの下向きに突出するラッチタブ５８が設けられている。この状態で、キャリア装置１２、開口要素１４及びレンズ要素１６は、上部材２０と下部材１８との間に完全に捕捉されて互いに固定される。従って、保持装置の下部材１８、キャリア要素１２、開口要素１４、レンズ要素１６及び保持装置の上部材２０は、垂直方向で互いの後方に配置される。
【００５２】
このように組み立てられた装置１０は、図３に透視図として示されている。上部材２０（装置１０の他の開口要素または第３の光学素子）は、２つの開口部５２’，５２”を有する（図１，図３参照）。さらに、上部材２０は、レンズ要素１６と整列した位置で終端となって装置１０の実質的に滑らかな上面を形成するように、レンズ要素１６の相補的な係合部９０と係合する（図１参照）。レンズ要素１６は、さらに固定され、装置１０の寸法は小さく維持される。
【００５３】
光電式装置１０の光学的性質は、第１の開口要素１４の３つの開口部５２ａ，５２ｂ，５２ｃと他の開口要素または上部材２０の２つの開口部５２’，５２”との組み合わせによって決定され、発信または受信されたビームのそれぞれの断面の幾何学的な境界が生じるため、望ましくない干渉の影響が抑制される。
【００５４】
装置１０は、細い実質的に平行六面体のベース本体を有し、装置の筐体は互いに整列した位置で終端となる面によって特徴づけられている。特にラッチタブ５８は、側部２４’，２４”の外側面と整列した位置で終端となる。
【００５５】
実質的にプレート状のレンズ要素１６（装置１０の第２の光学素子）は、そうでなければプレート状であるレンズ要素１６から離れるように長手方向に延在する一体形成された機械的コーディング部６０を有する（図１参照）。リング状のコーディング部６０は、レンズ要素１６の長手方向で互いの後方に配置された３つのレンズ部６８の延長面から垂直に突出する中空のシリンダ６４を備える。レンズ要素１６のレンズ部６８は、ここに示す実施例ではビーム成形特性を有し、例えば、凸レンズ、両凸レンズまたはフレネルレンズとすることができる。
【００５６】
レンズ要素１６の他の詳細は、図４に示されており、ここでは、レンズ要素１６の上面の平面図が示されている。図４のレンズ要素１６は、コーディング部６０における第１のコーディング要素６２及び第２のコーディング要素６３を有する。第１のコーディング要素６２は、コーディング部６０の中空シリンダ６４の外周に設けられた矩形のリセスとして形成され、第１のコーティング要素６２は、中空シリンダ６４のシリンダジャケットに矩形の溝が形成されるように、シリンダ６４の軸と平行に（図４の紙面に垂直に）延在する。リングディスク６６が、中空シリンダ６４内で中空シリンダ６４の長手方向軸に垂直に延在する。第２のコーディング要素６３は、リングディスク６６の内周に設けられ、実質的に半円形のリセスとして形成されて中空シリンダ６４の軸に平行な円形の溝として構成される。
【００５７】
第１のコーディング要素６２は、下に位置する装置１０の種類を識別するために単に例示的に示されている。装置の種類は、特に、レンズ要素１６、上部材２０及び／または第１の開口要素１４の対応する形態やキャリア装置が備える光電式送信機４０及び受信機４２によって特徴づけられる。これに関して、レンズ要素１６のレンズ部６８の位置及び形態は特に異なり得る。第２のコーディング要素６３は、キャリア装置１２をマイクロコントローラと接続するために設けられたバスについて装置１０を識別するために設けられる。
【００５８】
このリストは、単に例示的なものである。原則的に、コーディング要素６２，６３は、自由に特定可能な特徴について光電式装置１０を識別することができる。コーディング要素６２，６３は、形状に加えて中空シリンダ６４の長手方向軸を中心とする角度位置によってのみ定められ、対応するコーディング要素６２，６３の角度位置によって、対応するコーディング要素６２，６３に関連する特徴に関して装置１０の明確な識別が可能となる。
【００５９】
図５には、本発明と関連する光電式装置１０の設置環境とも呼ばれる光電式装置１０の設置位置の２つの透視図が示されている。図５（ａ）では、設置位置はそのまま、すなわち対応する装置１０が設置されていない状態で示されている。設置位置は、矩形の開口部７２を有するベースプレート７０の断面によって特徴づけられ、断面の長手方向内側端部に２つの互いに反対側に配置されたラッチアーム７４’，７４”が設けられる。開口部７２の狭い側に隣接して、ベースプレート７０の平面に垂直に延在するとともに中央開口部７８を有するシリンダ７６が形成されている。開口部７８は、ねじ用の図示省略の雌ねじを有し得る。
【００６０】
シリンダ７６は、第１のデコーディング要素８０及び第２のデコーディング要素８１を有する。第１のデコーディング要素８０はＴ字形であり、シリンダ７６のジャケット面から径方向に離間されている。デコーディング要素８０の高さは、シリンダ７６の高さよりも低い。第２のデコーディング要素８１は、シリンダ７６の端面に形成され、部分的な円筒形状を有する。シリンダ７６及びデコーディング要素８０，８１は、合わせて装置１０のコーディング部６０のデコーディング部８３を構成する。デコーディング部８３は、ベースプレート７０と一体形成される。シリンダ７６及びデコーディング要素８０，８１の端部は、装置１０の設置を容易にする面取部をそれぞれ有する。
【００６１】
図５（ａ）に示される設置位置に設置される装置１０は、装置１０の上面がベースプレート７０の開口部７２に面する図５（ｂ）に示す位置となるように、装置１０の上面が前方に位置する状態で設置される。デコーディング部８３によって、デコーディング部８３と相補的な形状を有し、かつ形状の一致によって対応する設置位置における装置１０の設置を明確に定めるコーディング部を有する装置１０のみが設置可能となる。組立状態では、第１のコーディング要素６２が第１のデコーディング要素８０と係合する。そして、第２のコーディング要素６３は、第２のデコーディング要素８１と部分的に係合する。さらに、ラッチアーム７４’，７４”は、装置１０がベースプレート７０にしっかりと固定されるように、下部材１８のラッチ式留め具３６にラッチされる。
【００６２】
装置１０の別の設置位置が図６に示されており、図６（ｂ）では、装置１０は図５（ｂ）と違って逆向きに、すなわち放射を送信または受信する装置１０の上面がベースプレート７０から離れて設置されている。従って、装置１０は、実質的に同様に形成された設置位置に異なる方法で柔軟に設置可能であり、このために単にコーディング要素６２，６３の位置とデコーディング要素８０，８１の位置を調整すればよい（図５（ａ），図６（ａ）参照）。
【００６３】
コーディング部６０のベース形状（特にリングディスク６６を備える中空シリンダ６４）は、垂直方向に垂直な光電式装置１０の中央面に対して対称に設けられることが好ましい。さらに、光電式装置１０を設置環境に締結する締結装置（特にベースプレート７０のラッチアーム７４’，７４”のための保持装置のラッチ式留め具３６）が、垂直方向に垂直な光電式装置１０の中央面に対して対称に設けられていることが好ましい。これにより、図５，図６を参照して説明したように、装置１０は、設置環境において上面の２つの異なるアライメントの１つで選択的に特に容易に締結可能となる。
【００６４】
図７は、本発明による他の例示的な光電式装置１０の長手方向断面図である。サンドイッチ型の設計は、図１に示す光電式装置１０の設計に対応し、キャリア装置１２、第１の開口要素１４の形態の第１の光学素子、レンズ要素１６の形態の第２の光学素子および開口部５２’を有する他の開口要素２０の形態の第３の光学素子が図７に部分的に示されている。キャリア装置１２、第１の開口要素１４、レンズ要素１６及び他の開口要素２０（第３の光学素子）は、保持装置（図示省略）によって互いに対して保持され、この保持装置は、一部材として形成することができ、別の観点から言えば実質的に図１の下部材のように設けることができる。光電式の送信機４０が、キャリア装置１２のチャンバ３８ａ内に設けられている。光電式の受信機４２が、隣接するチャンバ３８ｂ内に儲けられている。光チャネル（ｏｐｔｉｃａｌ  ｃｈａｎｎｅｌ）８４ａが送信機４０の上方に延びており、その軸Ｋが送信機４０を通ってキャリア装置１２の延長面に実質的に垂直に延びている。光チャネル８４ｂが、受信機４２の上方に延びており、その軸Ｌが受信機４２を通ってキャリア装置１２の延長面に対して斜めに延びている。
【００６５】
他の開口要素２０の開口部５２’は、水平方向で両方の光チャネル８４ａ，８４ｂ上に延びて、横方向、すなわち軸Ｋ，Ｌの延長線上から大きく異なる方向からレンズ要素１６に入力される望ましくない放射を減少させる。光チャネル８４ａ，８４ｂは、それぞれレンズ要素１６の平面内にレンズ部６８ａ，６８ｂを有する。対応する実質的に円錐台状の開口部５２ａ，５２ｂが、レンズ部６８ａ，６８ｂの下で第１の開口要素１４に設けられる。一方の開口部５２は、第１の開口要素１４に設けられた実質的に回転対称な円錐台状開口部によって形成される。他方の開口部５２ｂは、第１の開口要素１４に設けられた変形した（ｓｈｅａｒｅｄ）円錐台状の開口部によって形成され、光チャネル８４ｂの軸Ｌは、キャリア装置１２に対して傾いている。光学的性質は、互いに異なる垂直位置に設けられた第１の開口要素１４及び第２の開口要素２０によって特に効果的に得られる。上部材２０を通して横方向から光チャネル８４ａ，８４ｂに入る散乱光の入射は、第１の開口要素１４の断面制限特性から独立して決定することができる。よって、光チャネル８４の所望の角度特性を実現するために、例えば、第１の開口要素１４を交換するだけで十分であり得る。
【００６６】
図８には、図７と同様に構成された別の光電式装置１０の長手方向の図が示されている。図７の装置とは異なり、２つのプラノパラレルな（ｐｌａｎｏｐａｒａｌｌｅｌ）フィルタ部９４を有するフィルタ要素９２の形態の第３の光学素子が、第１の開口要素１４（第１の光学素子）の上方でかつレンズ要素１６（第２の開口要素）の上方に設けられている。フィルタ部９４は、スペクトルフィルタ特性（例えば、赤外バンドパス）を有し、フィルタ部９４ａは第１の光チャネル８４ａと一致し、フィルタ部９４ｂは第２の光チャネル８４ｂと一致する。フィルタ要素９２は、二部材からなる保持装置の上部材として、または単一部材からなる保持装置（例えば、図１における下部材１８）から独立して構成することができ、フィルタ要素９２は単一部材からなる保持装置（図８では保持装置は省略）の端部の窓（ｅｎｄ  ｗｉｎｄｏｗ）を形成し得る。
【００６７】
さらに別の可能な実施例が、図９に示されている。ここでは、第１の光学素子は、２つのレンズ部６８’ａ，６８’ｂを有するレンズ要素１６’を含む。その上に配置された第２の光学素子は、図７，図８と同様に形成された２つの開口部５２ａ，５２ｂを有する開口要素１４を含む。最後に、第３の光学素子は、レンズ部６８’ａ，６８’ｂよりも薄い２つのレンズ部６８”ａ，６８”ｂを有する他のレンズ部１６”を含む。レンズ要素１６”は、二部材からなる保持装置の上部材または単一部材からなる保持要素から独立して構成することができる（保持装置は図９では省略）。レンズ要素１６”が独立して形成されている場合には、ラッチ式連結部によって保持要素に締結することができ、同時に装置の上面を形成し得る。
【００６８】
説明した実施例に関して、キャリア装置１２は、特に異なる数の光電式送信機４０及び／または光電式受信機４２を備え得ることに留意されたい。それぞれの光電式装置１０のモジュール式構造、そして特に個々の構成要素（開口要素１４，２０及びフィルタ要素９２またはレンズ要素１６）を交換することによって、送信機４０及び受信機４３の数に対応する開口部５２、レンズ部６８またはフィルタ部９４を設けることができることにより、異なる用途に容易に適応可能である。
【符号の説明】
【００６９】
１０…光電式装置
１２…キャリア装置
１４…第１の開口要素
１６…レンズ要素
１８…下部材
２０…上部材または第２の開口要素
２２…底部
２４…側部
２６…留め具
２８…噛合部
３０…収容空間
３２…開口部
３４…ラッチノーズ
３６…ラッチ式留め具
３８…チャンバ
４０…送信機
４２…受信機
４４…ＡＳＩＣ
４６…コネクタ
４８…突出部
５０…領域
５２…開口部
５４…突出部
５６…領域
５８…ラッチタブ
６０…コーディング部
６２…第１のコーディング要素
６３…第２のコーディング要素
６４…中空シリンダ
６６…リングディスク
６８…レンズ部
７０…ベースプレート
７２…開口部
７４…ラッチアーム
７６…シリンダ
７８…開口部
８０…第１のデコーディング要素
８１…第２のデコーディング要素
８３…デコーティング部
８４…光チャネル
９０…係合部
９２…フィルタ要素
９４…フィルタ部
Ｋ…軸
Ｌ…軸
【図１】
2019507356.tif 000003
【図２】
2019507356.tif 000004
【図３】
2019507356.tif 000005
【図４】
2019507356.tif 000006
【図５（ａ）】
2019507356.tif 000007
【図５（ｂ）】
2019507356.tif 000008
【図６（ａ）】
2019507356.tif 000009
【図６（ｂ）】
2019507356.tif 000010
【図７】
2019507356.tif 000011
【図８】
2019507356.tif 000012
【図９】
2019507356.tif 000013
【国際調査報告】
2019507356.tif 000014
2019507356.tif 000015
2019507356.tif 000016
2019507356.tif 000017
2019507356.tif 000018
2019507356.tif 000019